(57)【要約】【課題】該シートは、両側端を専用のピンで押えているが、農家の女性作業員が腰をかがめて一本づつ手先で挿し込む作業は重労働である。また、該シートを１枚づつ被覆することも非効率であり作業中に風が発生すると中断するなど改善すべきところが多い。更に該シートの利用コストを下げるために反復利用の回数を多くしなければならない。このため適切に回収することが出来る被覆方法の改善やピン打ち作業の簡素化が大切な課題である。【解決手段】該シートを一度に２枚づつ被覆すること、夫々の両側端に機械的にピンを打ち込むピン挿入器を配設すると共に、３本の油圧ホイストをトラクターの走行速度と同速度で伸縮させ伸長する過程で装置本体を停止状態に、縮小する過程では２倍速で前進する。この動作を油圧制御によって連続させ、停止状態の一瞬にピン挿入器が同調してピンを打ち込む構造とする。【選択図】図２
0003127700.tif 000002
【実用新案登録請求の範囲】
【請求項１】
圃場において、ロール状の不織布等農業用シートを２枚同時に被覆しながら牽引するトラクターの走行速度を変えないで被牽引体である本装置を一瞬停止状態にして該シートの両側端にこれを押えるピンをピン挿入器によって一定間隔で打ち込むことを特徴とする不織布等農業用シートの被覆装置。
【考案の詳細な説明】
【考案の詳細な説明】
【技術分野】
【０００１】  本考案は農作物へのマルチ栽培で多く利用されているロール状の不織布等農業用シート（以下シートと呼称）を４畦単位で播種されている畦上に１枚当り４畦分の幅を持つ該シートを２枚セットで被覆すると共に風による飛散を防止するためシート両側端を押えるピンの打ち込みを、ピン挿入器を配設して被覆作業の機械化による省力と迅速性を高めようとするものである。【０００２】  北国では遅い春と早い秋の訪れによる作物の短い生育期間を克服するために播種後幼苗期の段階まで畦上をシートで被覆して、低温・風・霜等の自然からの障害を回避すると共に生育の促進を図る工夫がされている。また、市場の要請に沿って供給の端境期を少なくしながら適期に出荷する、或いは高品質作物を確保するためにこうしたシートを利用した前進栽培が広く普及しているところである。
【背景技術】
【０００３】  該シートは、１枚当り長さ２００ｍ、幅１０００ｍｍ〜３０００ｍｍの範囲でロール状に巻かれた物が一般的に利用されている。従来から、被覆規模が大きい場合はマルチャーと呼ばれる装置によりシートは１枚づつ被覆され同時に培土器により両側端に土をかぶせて押える方法が多く採用されていた。培土による押え方法はシートを回収して反復利用する場合に土の除去作業に時間が掛かることや土砂の付着と破損が多い等難点があった。反復利用する場合はピンによる押えが、両端を揃えロールとして硬く巻き取り回収することが出来るので適当である。しかしながら、シートを押えるピンの打ち込み作業は機械化されておらず、人手を掛けて行う方法が一般的である。この場合、農家の女性作業員がピンを一本づつ腰をかがめて手先で挿入する作業姿勢は非常に厳しく難儀である。また作業時に風が吹くと中断するなど制約がある。
【考案の開示】
【考案が解決しようとする課題】
【０００４】  本考案は、圃場に多少の風が吹いていても影響を受けないで作業が遂行できる構造とすること、従来まで１枚づつ処理していたロール状のシートを２枚セットで被覆しながら本体に配設したピン挿入器によって被覆とピンの打ち込みを連動させて作業の省力化と迅速性を高めようとするものである。また、２枚セットで被覆することから装置本体の横幅が広くなるが、移動時に支障が出ないように法定幅を超える部分を着脱できる構造とする。【０００５】  作業能率を確保するため、通常のトラクター速度を維持しながらシートの両側端に押えピンを垂直に打ち込むことが大切であるが、ピンの規格は概ね幅１００ｍｍ、厚さ１０ｍｍ、長さ２００ｍｍが一般的であって作業速度を２ｋｍ／ｈｒに設定してもピン挿入器の打ち込み部が幅１００ｍｍを通過する時間は一瞬の間になるため打ち込む瞬間は装置本体を停止状態にする工夫が必要である。
【課題を解決するための手段】
【０００６】  本考案装置は、三点ヒッチによるトラクター装着型であって圃場に下ろした後は４個の動輪が支持して牽引する形で一連の作業が進行する。また、防風のために装置本体前部と側部の裾部に防風カバーを配設する。【０００７】  トラクター装着部と装置本体の間に３本の油圧ホイストを配設してトラクターの走行速度と同速度でホイストを伸縮させ伸長する過程で装置本体を停止状態に、縮小する過程では２倍速で前進する。この動作を油圧制御によって連続させ、停止状態の一瞬にピン挿入器が同調してピンを打ち込む構造であってホイストが伸縮する間隔が打ち込まれる押えピンの所定の間隔になる。【０００８】  被覆するロール状のシートを懸架する固定金具と自在金具及び被覆されたシート２枚のそれぞれの両側端を押えるピンの挿入器を配設した構造である。【０００９】  ロール状のシートは、そのロール芯の両端を自在金具に配設されている差し込み軸によって支持され圃場表面との接触と自在金具の牽引によって回転して被覆が進行する。ロールが細くなるに従い自在金具も最下端の止め金の位置まで下がるがロールは地表との接触を続ける。１本の被覆が完了すると自在金具の差し込み軸を抜いてロール芯をはずし新規のロールを装着する。
【考案の効果】
【００１０】  以上詳述した通り、圃場において風の影響を受けずに作業すべき適期にシートの被覆とこれを押えるピン打ちが同時並行して遂行されることから、本考案装置の適用により作業の省力化と迅速性の向上が大きく期待出来る。
【考案を実施するための最良の形態】
【実施例】
【００１１】  以下、本考案の実施の形態を図１〜図２７に基づいて符号を付して説明する。【００１２】  図１においては、圃場におけるトラクター２７とこれに牽引される本考案による装置全体の配置及び８本の畦２６の上に被覆された２枚のシート８とシート夫々の両側端を押えるピン２３の状態を示している。【００１３】  図２においては、Ａ及びＢは本体枠でありＣは三点ヒッチ枠であってＤにトップリンクを、Ｅ二点にロアリンクを接続してトラクターに装着する。Ｃの三点ヒッチの後部同位置Ｈに油圧ホイストＦを本体枠Ａ側のＨに油圧ホイストＧを取り付けトラクターの油圧制御装置から油圧ホースを接続して伸縮を可能にする。【００１４】図２において、Ａ、Ｂの本体枠を支持する動輪１ａと１ｂは本体枠に固着している２ａ及び２ｂの固定金具によって保持されておりピン挿入器１０の打ち込み深さを一定にする。【００１５】  図２において、該シート８は本体枠に固着している固定金具３から止めピン５で維持される遊動金具４及び遊動金具４の先端に差し込まれている差し込み軸７によって保持される。該シート８が細くなった時遊動金具４はストッパー６まで下がり止る。【００１６】  図２において、ピン挿入器本体１０は固定桟９と本体枠Ａａに固定され、挿し込みハンマー１１から伸びる腕杵１２は油圧ホイスト１６の１３に連結される。油圧ホイスト１６の１５は本体枠Ａａに固着している固定金具１４に連結し保持される。油圧ホイスト１６にトラクターの油圧制御装置から油圧ホースを接続して伸縮を可能にする。この際、油圧制御装置は三点ヒッチの後方で本体枠に連結している３本の油圧ホイストが伸長すると同時に、これに同調して作動するよう設定されている。【００１７】  図３において、ピン挿入器本体１０に付属するピン収納ケース１８は概ね１５度の傾斜角を維持しており押えピンが１本づつ挿し込みハンマー１１の下部に入り込み易い角度になっている。挿し込みハンマー１１がホイスト１６の伸長によって押し下がり押えピン１本の挿入が完了してホイスト１６が縮小しハンマー１１が元の位置に戻ると同時に押えピンと共に押し下げられていたピン受け具１９も引張りスプリング２２によって水平の位置に戻る。同時に収納ケース１８から押えピン１本がハンマー１１の下部のスペースに滑り込みピン受け具１９によって次に挿し込みハンマーが下降するまで保持される。【００１８】  該圃場での作業が完了し他に移動するときは、図１における本体横枠接続部２５ａ、２５ｂ、２５ｃから所定の両側端部分を外して横幅全体を縮小する。
【図面の簡単な説明】
【００１９】  以下、本考案によるシート被覆装置の図面について説明する。【図１】は平面図であって圃場におけるトラクターと本考案装置及びシート被覆後の配置を表し各部の記号を示す。
【図２】は側面図であって各部の記号を示す。
【図３】は押えピン挿入器の側面図であって各部の記号を示す。
【図４】は押えピン挿入器の前面図であって各部の記号を示す。
【符号の説明】
【００１９】Ａａ      本体上部横枠Ａｂ      本体下部横枠Ｂａ      本体前部縦枠Ｂｂ      本体後部縦忰Ｃ        三点ヒッチ枠Ｄ        トップリンク取付部Ｅ        ロアリンク取付部Ｆ        油圧ホイストＧ        油圧シリンダーＨ        油圧ホイスト取付部１ａ      前部動輪１ｂ      後部動輪２ａ      前部固定金具２ｂ      後部固定金具３        固定金具４        遊動金具５        止めピン６        ストッパー７        差し込み軸８        シート９        固定桟１０      ピン挿入器本体１１          〃    挿し込みハンマー１２          〃    腕杵１３          〃    油圧シリンダー取付金具１４          〃    固定金具１５          〃    油圧ホイスト取付金具１６          〃    油圧ホイスト１７          〃    油圧ホース取付金具１８          〃    ピン収納ケース１９          〃    ピン受け具２０          〃    ピン受け具展開窓２１          〃    ピン受け具支持金具２２          〃    ピン受け具引張りスプリング２３      押えピン２４      ピン挿入器取付金具２５ａ    本体前部横枠接続部２５ｂ    本体中部横枠接続部２５ｃ    本体後部横枠接続部２６      播種畦２７      トラクター
【図１】
0003127700.tif 000003
【図２】
0003127700.tif 000004
【図３】
0003127700.tif 000005
【図４】
0003127700.tif 000006
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
ロール状の不織布等農業用シート２本を支持金具によって互い違いに横に並べ中央部に重なり部分を持たせて金具の引張りと地表との接触圧でロールが回転しながら被覆され被覆後に風で飛散しないように該シートの両側端と重なり部分をもたせた中央部の３ヶ所にピン挿入器を配設して押えピンを垂直且つ一定間隔で打ち込むために、本装置とトラクター連結部に配設した油圧シリンダーがピン挿入器の打ち込みが作動すると同時に油圧制御によって連動しトラクターの進行速度と同速度で逆方向となる後方に急速に伸長することによって装置全体が地面に対して一瞬停止状態になり、この一瞬に押えピンを打ち込むことによって押えピンを垂直に打ち込むことが出来、この伸縮を反復させる油圧制御によってトラクターの走行速度を一定に維持したまま被覆と押えピンの打ち込み作業が同時に処理出来ることを特徴とした不織布等農業用シートの被覆装置。